(57)【要約】【課題】  複数種の薬剤を、日単位で服用時分毎に仕分けして収納でき、しかも、袋本体をカバン状に形成可能とすることにより、外出時等の薬剤を携行する必要がある場合においても薬剤の飲み忘れや誤飲を防止できるようにした薬剤仕分け用可搬袋を提供する。【解決手段】  折畳み・展開可能とした袋本体１上に、透明で中身を覗見可能とした多数のポケット１２を、日単位で薬剤の各服用時の分毎に仕分けできるように区画して配置する。上記袋本体１を、その外面形成シート１１内に残部を収納したカバン状に形成可能にして、それに可搬のためのストラップ１８を設ける。【選択図】        図１
0003105113.tif 000002
【実用新案登録請求の範囲】
【請求項１】
薬剤を服用時毎に仕分けして収納するための多数のポケットを有する薬剤仕分け用の可搬袋であって、
折畳み・展開可能とした袋本体上に、透明で中身を覗見可能とした上記多数のポケットを、日単位で薬剤の各服用時の分毎に仕分けできるように区画して配置し、
上記袋本体を、その外面形成シート内に残部を収納したカバン状に形成可能にして、それに携行のためのストラップを設けた、
ことを特徴とする薬剤仕分け用可搬袋。
【請求項２】
袋本体を、外面形成シートと、多数のポケットを付設した折畳み可能な１枚のポケット保持シートとを一体に連結することにより構成し、上記ポケット保持シートを折畳んだ状態で外面形成シート内に収納可能にした、
ことを特徴とする請求項１に記載の薬剤仕分け用可搬袋。
【請求項３】
ポケット保持シートの展開時において、それを壁掛け可能とするための掛止め具を該ポケット保持シートに付設した、
ことを特徴とする請求項２に記載の薬剤仕分け用可搬袋。
【請求項４】
袋本体を、中央で折曲自在とした外面形成シートと、該外面形成シートの半部とほぼ等大でそれに重ねられた複数枚のポケット保持シートとを、一体に綴じることにより構成し、外面形成シートの中央での折曲によりポケット保持シートをその内部に収納可能にした、
ことを特徴とする請求項１に記載の薬剤仕分け用可搬袋。
【請求項５】
各ポケットに、薬剤の服用時毎に異色の表示をした、
ことを特徴とする請求項１〜４のいずれかに記載の薬剤仕分け用可搬袋。
【請求項６】
袋本体が布または合成樹脂シート製であり、二つ折りにした外面形成シートの周辺相互をスライドファスナーで閉じることによってカバン状に形成した、
ことを特徴とする請求項１〜５のいずれかに記載の薬剤仕分け用可搬袋。
【考案の詳細な説明】
【技術分野】
【０００１】
本考案は、薬剤を服用時毎に仕分けし、飲み忘れや誤飲を防止するための薬剤仕分け用の袋に関するものであり、更に詳細には、可搬性を持たせることにより、外出時等においても飲み忘れや誤飲を防止できるようにした薬剤仕分け用可搬袋に関するものである。
【背景技術】
【０００２】
病院または処方箋薬局等において患者に処方される薬剤は、薬剤袋内に服用期間に応じた量を一纏めにして収容したものを渡されるのが一般的であり、その多くの場合、処方される薬剤は複数種にわたり、それらを医師や薬剤師の指示に従って服用するようにしている。
【０００３】
而して、上記薬剤袋には、服用期間に応じた量の複数種の薬剤が混在して収納されているため、特に高齢者等の判別能力が衰えている患者にとっては、複数種の薬剤を医師や薬剤師の指示通りに適正に服用することが困難であり、うっかり飲み忘れてしまったり、あるいは薬剤の服用量や服用時を間違えてしまう場合が考えられる。
【０００４】
このような問題点を解決するものとして、服用する薬剤を予め仕分けして服用を誤らないように保管する手段が種々提案され、実用に供されているが、従来の薬剤の仕分け手段は、外出時等にも薬剤を携行する必要がある場合を考慮していないため、家庭内や老人福祉施設内等において飲み忘れや誤飲を防止する点で、ある程度有効ではあるものの、外出時等の薬剤を携行しなくてはならない場合における薬剤の飲み忘れや誤飲に対する配慮に欠けるものである。
【考案の開示】
【考案が解決しようとする課題】
【０００５】
本考案の技術的課題は、複数種の薬剤を、日単位で各服用時の分毎にわかりやすく仕分けして収納することができ、しかも、袋本体をカバン状に形成可能として、当該袋を可搬にすることにより、外出時等の薬剤を携行していかなくてはならない場合における薬剤の飲み忘れや誤飲を可及的に防止できるようにした薬剤仕分け用可搬袋を提供することにある。
本考案の他の技術的課題は、当該薬剤仕分け袋を展開時に壁掛け可能とし、さらには各ポケットに、薬剤の服用時毎に異色の表示をすることにより、より一層識別性を高め、延いては薬剤の飲み忘れや誤飲の防止効果をさらに高めた薬剤仕分け用可搬袋を提供することにある。
【課題を解決するための手段】
【０００６】
上記課題を解決するため、本考案は、薬剤を服用時毎に仕分けして収納するための多数のポケットを有する薬剤仕分け用の可搬袋であって、折畳み・展開可能とした袋本体上に、透明で中身を覗見可能とした上記多数のポケットを、日単位で薬剤の各服用時の分毎に仕分けできるように区画して配置し、上記袋本体を、その外面形成シート内に残部を収納したカバン状に形成可能にして、それに携行のためのストラップを設けたことを特徴とするものである。
【０００７】
上記薬剤仕分け用可搬袋の好ましい実施形態においては、袋本体を、外面形成シートと、多数のポケットを付設した折畳み可能な１枚のポケット保持シートとを一体に連結することにより構成し、上記ポケット保持シートを折畳んだ状態で外面形成シート内に収納可能に構成される。この場合、ポケット保持シートの展開時において、それを壁掛け可能とするための掛止め具を該ポケット保持シートに付設するのが、より服用の有無の識別性を高めるために有効である。
【０００８】
また、上記薬剤仕分け用可搬袋の他の好ましい実施形態においては、上記袋本体を、中央で折曲自在とした外面形成シートと、該外面形成シートの半部とほぼ等大でそれに重ねられた複数枚のポケット保持シートとを、一体に綴じることにより構成し、外面形成シートの中央での折曲によりポケット保持シートをその内部に収納可能に構成される。
【０００９】
さらに、本考案の薬剤仕分け用可搬袋においては、各ポケットに、薬剤の服用時毎に異色の表示をするのが有効であり、また、袋本体を布または合成樹脂シート製とし、二つ折りにした外面形成シートの周辺相互をスライドファスナーで閉じることによって、カバン状に形成するのが望ましい。
【００１０】
上記構成を有する薬剤仕分け用可搬袋は、折畳み・展開可能とした袋本体上に、透明で中身を覗見可能とした上記多数のポケットを、日単位で薬剤の各服用時分毎に仕分けできるように区画して配置したので、複数種の薬剤を、日単位で服用時の分毎にわかりやすく仕分けして収納することができ、また、上記袋本体を、その外面形成シート内に多数のポケットを収納したカバン状に形成可能にして、それに携行のためのストラップを設けた構成としているので、外出時等の薬剤を携行しなくてはならない場合に、自宅で使用している薬剤仕分け用可搬袋をそのまま携行し、外出時における薬剤の飲み忘れや誤飲を可及的に防止することができる。
【００１１】
すなわち、自宅においては、ポケット保持シートを展開した状態で目に付きやすい場所に置いておけば、適量の薬剤を服用できるだけでなく、服用を忘れることもない。一方、薬剤の服用時間を跨いで外出する場合には、布や合成樹脂シート製の当該薬剤仕分け用可搬袋をカバン状にして容易に持ち運びできるので、各時間毎の服用分を個別的に持ち歩いたりする必要がなく、在宅時と同様に薬剤を適正に服用することができる。
また、特に、各ポケットに薬剤の服用時毎に異色の表示をすることにより、色別に薬剤の服用時を覚えてしまえば、誰にでも容易に飲み忘れをチェックすることができ、よりいっそう薬剤の飲み忘れや誤飲に対する防止効果を高めることができる。
【考案の効果】
【００１２】
以上に詳述した本考案によれば、複数種の薬剤を、日単位で各服用時の分毎にわかりやすく仕分けして収納することができ、しかも、袋本体をカバン状に形成可能として、当該袋を可搬にすることにより、外出時等の薬剤を携行していかなくてはならない場合における薬剤の飲み忘れや誤飲を可及的に防止することができる。
【考案を実施するための最良の形態】
【００１３】
図１〜図５は、本考案に係る薬剤仕分け用可搬袋の第１実施例を示している。
この薬剤仕分け用可搬袋における袋本体１は、概略的には、１枚のポケット保持シート１０と該シート１０を折畳んで収納可能な外面形成シート１１とを、一体に結合することにより構成されている。上記ポケット保持シート１０及び外面形成シート１１は、布または合成樹脂シート製で、折畳み・展開可能としたものであり、該ポケット保持シート１０の表面には、薬剤を服用時毎に仕分けして収納する多数のポケット１２を設けている。該ポケット１２を形成する合成樹脂シートは、透明でポケットの中身を覗見可能としたものである。また、上記袋本体１は、その外面形成シート１１内にポケット保持シート１０等の残部を収納してカバン状に形成できるように構成したものであり、その外面形成シート１１に手提げ用のストラップ１８を取り付けている。
【００１４】
さらに具体的に説明すると、上記ポケット保持シート１０には、図１及び図２に示すように、その表面に、ポケット１２を形成するための縁布１２ａを付した透明な合成樹脂シートを、その上辺を除く三辺で縫着すると共に、該ポケット１２上にその蓋１３を形成するための縁布１３ａを付した透明な合成樹脂シートを縫着して、蓋１３付きのポケット１２を形成している。
【００１５】
このようにして形成されるポケット１２は、ポケット保持シート１０の表面に、日単位で薬剤の各服用時の分毎に仕分けできるように区画して配置され、図示の例では、ポケット保持シート１０の表面に、左から右に日曜から土曜までの１週間分の各日単位のポケット列を縦に配置し、各ポケット列におけるそれぞれのポケット１２の蓋１３に、そこに収納した薬剤の服用時についての「朝食後」「昼食後」「夕食後」「就寝前」等の表示１４を施し、そして、これらの表示１４は薬剤の服用時毎に異色のものとしている。これにより、色別に薬剤の服用時を覚えるだけで、誰にでも容易に飲み忘れをチェックすることができる。
【００１６】
上記薬剤仕分け用可搬袋は、ポケット保持シート１０を図１の状態に展開して、それを任意の壁状部分に張設し、あるいは適宜テーブル状部分に載置して、常に各ポケット１２内を覗見できる状態で使用するものであり、そのため、上記壁状部分に張設して使用する場合を考慮して、ポケット保持シート１０に、その展開時にストラップ１８を一方端の掛止めに利用して壁掛け可能とするための掛止め具１５を付設することができる。
【００１７】
上記薬剤仕分け用可搬袋は、ポケット保持シート１０の下半を図１の状態から図３の状態に折畳み、更にその図３のポケット保持シート１０の左半を図４の状態に折畳んで、この折畳んだポケット保持シート１０が外面形成シート１１に重なるようにし、この状態で外面形成シート１１をポケット保持シート１０と共にその中央で二つ折りにし、外面形成シート１１の周辺相互をスライドファスナー１６で閉じることにより、図５に示すように該ポケット保持シート１０を外面形成シート１１内に全て収納し、これによって、当該薬剤仕分け用可搬袋をカバン状に形成できるように構成している。
なお、図５における符号１９は、名札その他を入れておく透視可能な外部ポケットを示している。
【００１８】
上記構成を有する第１実施例の薬剤仕分け用可搬袋は、折畳み・展開可能とした袋本体１のポケット保持シート１０上に、透明で中身を覗見可能とした上記多数のポケット１２を、日単位で薬剤の各服用時分毎に仕分けできるように区画して配置しているので、複数種の薬剤を、日単位で各服用時の分毎にわかりやすく仕分けして収納することができ、それにより、薬剤の飲み忘れや誤飲を防止することができる。
すなわち、自宅においては、ポケット保持シート１０を展開した状態で目に付きやすい場所に置いておけば、適量の薬剤を服用できるだけでなく、服用を忘れることもない。
しかも、各ポケットに薬剤の服用時毎に異色の表示をすることにより、色別に薬剤の服用時間を覚えてしまえば、誰にでも容易に飲み忘れをチェックすることができる。
【００１９】
また、上記袋本体１を、その外面形成シート１１内に残部のポケット保持シート１０等を収納したカバン状に形成可能にして、それに携行のためのストラップ１８を設けているので、薬剤の服用時間を跨いで外出する場合には、当該薬剤仕分け用可搬袋を容易に持ち運ぶことがき、各時間毎の服用分を個別的に持ち歩いたりする必要がなく、在宅時と同様に薬剤を適正に服用することができ、薬剤の飲み忘れや誤飲をも可及的に防止することができる。
【００２０】
図６〜図８は、本考案の薬剤仕分け用可搬袋の第２実施例を示している。
この第２実施例の薬剤仕分け用可搬袋は、袋本体２を、中央で折曲自在とした外面形成シート２１と、該外面形成シート２１の半部とほぼ等大でそれに重ねられた複数枚のポケット保持シート２０とを、上記外面形成シート２１の中央で一体に綴じることにより折畳み・展開可能に構成し、この外面形成シート２１の中央での折曲によりポケット保持シート２０をその内部に収納し、外面形成シート２１の周辺をスライドファスナー２６によって閉じることにより、カバン状に形成できるように構成したもので、その外面形成シート２１に手提げ用のストラップ２８を取り付けている。
【００２１】
上記複数枚のポケット保持シート２０の各頁の表面には、日単位で薬剤の各服用時の分毎に仕分けして収納できるように区画した多数の蓋２３付きのポケット２２が配置されている。図示を省略しているが、複数のポケット保持シート２０の各頁には、日曜から土曜までの１週間分の各日単位のポケット２２を配置し、また、各ポケット２２の蓋２３にはそこに収納した薬剤の服用時についての表示２４を施している。これらの表示２４は薬剤の服用時毎に異色としたものである。該ポケット２２自体の構成は、図２によって説明した第１実施例の場合と変わるところがなく、透明の合成樹脂シートによって中身を覗見可能としたものである。
【００２２】
なお、図中、符号２７は、外面形成シート２１の上部を蓋するための該外面形成シート２１と一体の外蓋、２７ａ，２７ｂは該外蓋２７を施蓋状態に保持する面ファスナーからなる止着子、２９は名札その他を入れておく透視可能な外部ポケットを示している。
上記第２実施例のその他の構成及び作用は、第１実施例の場合と実質的に変わるところがないので、それらの説明は省略する。
【図面の簡単な説明】
【００２３】
【図１】本考案に係る薬剤仕分け用可搬袋の第１実施例の構成を示す展開図である。
【図２】上記実施例におけるポケットの拡大断面図である。
【図３】上記実施例におけるポケット保持シートを畳んだ状態を示す正面図である。
【図４】上記実施例におけるポケット保持シートを更に畳んだ状態を示す正面図である。
【図５】上記実施例におけるポケット保持シートを外面形成シート内に収納してカバン状にした可搬状態を示す斜視図である。
【図６】本考案に係る薬剤仕分け用可搬袋の第２実施例の構成を示す展開状態の斜視図である。
【図７】上記第２実施例の外面形成シートを展開した状態の正面図である。
【図８】上記第２実施例におけるポケット保持シートを外面形成シート内に収納してカバン状にした可搬状態を示す斜視図である。
【符号の説明】
【００２４】
１，２      袋本体
１０，２０    ポケット保持シート
１１，２１    外面形成シート
１２，２２    ポケット
１４，２４    表示
１５          掛止め具
１６，２６    スライドファスナー
１８，２８    ストラップ
【図１】
0003105113.tif 000003
【図２】
0003105113.tif 000004
【図３】
0003105113.tif 000005
【図４】
0003105113.tif 000006
【図５】
0003105113.tif 000007
【図６】
0003105113.tif 000008
【図７】
0003105113.tif 000009
【図８】
0003105113.tif 000010